(57)【要約】【課題】排気ポンプ手段のメンテナンス作業が容易で且つ横アームの軽量化を図ることができる手術顕微鏡装置を提供する。【解決手段】スタンド本体１や横アーム６には吸気管１７しかなく、排気ポンプ手段１５はスタンド本体１の外部に置かれるため、修理や保守などのメンテナンス作業が容易である。また横アーム６には吸気管１７の一部が存在するだけなので、横アーム６の重量が増すこともない。【選択図】        図１
2017000219.tif 000002
【特許請求の範囲】
【請求項１】
フロア設置されたスタンド本体に対して、縦アームをその途中位置に設定された軸支部を中心に前後傾動自在に取付け、
縦アームの上端の軸支部から横アームを延長形成すると共に横アームの先端側に手術顕微鏡を支持し、少なくとも手術顕微鏡及び横アームがドレープにて覆われる手術顕微鏡装置であって、
前記横アームは中空構造で、横アームの先端側には吸気口が且つ基端部には接続口が形成され、
スタンド本体から横アームの接続口まで各軸支部を跨ぐ部分だけ外部に露出し、それ以外はスタンド本体及び縦アームの内部に存在する吸気管が配管され、該吸気管の端末はスタンド本体の外部に設置された排気ポンプ手段と接続自在な構造であることを特徴とする手術顕微鏡装置。
【請求項２】
吸気管が長手方向で伸縮自在であることを特徴とする請求項１記載の手術顕微鏡装置。
【請求項３】
吸気管の端末はスタンド本体の外面に、排気ポンプ手段に接続可能な吸気接続部として構成されることを特徴とする請求項１又は請求項２記載の手術顕微鏡装置。
【発明の詳細な説明】
【技術分野】
【０００１】
本発明はドレープで覆って使用する手術顕微鏡装置に関する。
【背景技術】
【０００２】
脳神経外科手術等において使用される手術顕微鏡装置は、手術顕微鏡を空中に釣り下げた状態で支持する。フロアに設置されたスタンド本体に縦方向に延びる平行リンク機構を軸支し、その平行リンク機構の上端から水平方向に延びる横アームを形成し、該横アームの先端側に手術顕微鏡を釣り下げて支持する。
【０００３】
手術顕微鏡装置は、少なくとも手術顕微鏡及び横アームを無菌状態にするためにドレープにて覆われる。ドレープは垂れ下がるとドクター又はアシスタントの視界を妨げるため、横アーム内に内蔵された排気ポンプ手段によりドレープ内の空気を吸引してドレープを手術顕微鏡装置に密着させている（例えば、特許文献１参照）
【先行技術文献】
【特許文献】
【０００４】
【特許文献１】特許第２９８８９８０号公報
【発明の概要】
【発明が解決しようとする課題】
【０００５】
しかしながら、このような関連技術にあっては、排気ポンプ手段が横アームの内部に予め内蔵されているため、排気ポンプ手段の修理や保守などのメンテナンス作業が面倒である。また排気ポンプ手段が内蔵されている分、横アームの重量が増すため、全体の重量均衡をとるためのカウンタウェイトも大型化する。
【０００６】
本発明によれば、排気ポンプ手段のメンテナンス作業が容易で且つ横アームを軽量化した手術顕微鏡装置を提供することができる。
【課題を解決するための手段】
【０００７】
本発明の第１の側面によれば、フロア設置されたスタンド本体に対して、縦アームをその途中位置に設定された軸支部を中心に前後傾動自在に取付け、縦アームの上端の軸支部から横アームを延長形成すると共に横アームの先端側に手術顕微鏡を支持し、少なくとも手術顕微鏡及び横アームがドレープにて覆われる手術顕微鏡装置であって、前記横アームは中空構造で、横アームの先端側には吸気口が且つ基端部には接続口が形成され、スタンド本体から横アームの接続口まで各軸支部を跨ぐ部分だけ外部に露出し、それ以外はスタンド本体及び縦アームの内部に存在する吸気管が配管され、該吸気管の端末はスタンド本体の外部に設置された排気ポンプ手段と接続自在な構造であることを特徴とする。
【０００８】
本発明の第２の側面によれば、吸気管が長手方向で伸縮自在であることを特徴とする。
【０００９】
本発明の第３の側面によれば、吸気管の端末はスタンド本体の外面に、排気ポンプ手段に接続可能な吸気接続部として存在していることを特徴とする。
【発明の効果】
【００１０】
本発明の第１の側面によれば、スタンド本体や横アームには吸気管しかなく、排気ポンプ手段はスタンド本体の外部に置かれるため、修理や保守などのメンテナンス作業が容易である。また横アームには吸気管の一部が存在するだけなので、横アームの重量が増すこともない。
【００１１】
第２の側面によれば、吸気管が長手方向で伸縮自在であるため、縦アームや横アームの動きに追従することができる。
【００１２】
第３の側面によれば、吸気管の端末がスタンド本体の外面に、排気ポンプ手段に接続可能な吸気接続部として存在しているため、不要な場合は排気ポンプ手段をスタンド本体から外しておくことができ、スタンド本体の搬送などの場合に便利である。
【図面の簡単な説明】
【００１３】
【図１】本発明の実施形態に係る手術顕微鏡装置を示す側面図。
【図２】横アームの先端付近を示す斜視図。
【発明を実施するための形態】
【００１４】
本発明の好適な実施形態を図１及び図２に基づいて説明する。
【００１５】
スタンド本体１は手術室内で手術顕微鏡２を吊り下げて使用するためのものである。スタンド本体１には縦アーム３とサブアーム４を含む縦方向での平行リンク機構Ａが、縦アーム３の途中に設定された軸支部５を中心に前後傾倒自在に支持されている。
【００１６】
この平行リンク機構Ａの下部にはカウンタウェイトＷが設けられている。平行リンク機構Ａの上部からは前方に向けて横アーム６が延びている。横アーム６の先端には先端アーム７の下端が軸支され、その下方に吊下げアーム８を介して手術顕微鏡２が支持されている。
【００１７】
縦アーム３の横アーム６に対する軸支部９には基端アーム１０の下端が軸支されている。基端アーム１０は縦アーム３内の図示せぬ別の平行リンク機構により常に垂直が維持される。この基端アーム１０と先端アーム７の上端同士はサブアーム１１にて連結される。これにより横アーム６を軸支部９を中心にして上下に回動させても先端アーム７の垂直状態が維持される。
【００１８】
横アーム６は金属製の円筒形状で上側に凸に湾曲している。上側に湾曲しているのは下側の作業スペースを確保するためである。横アーム６の両端は鋳物製の中空部材１２、１３で形成されている。横アーム６はこれら中空部材１２、１３も構造として含んだ状態で全体として中空である。中空部材１２の縦アーム３より後方部分は平行リンク機構Ａの一部を構成し、横アーム６は平行リンク機構Ａと連動する。
【００１９】
横アーム６の先端の中空部材１３には吸気口１４が開口形成されている。後側の中空部材１２には接続口１６が開口形成されている。
【００２０】
スタンド本体１には手術顕微鏡２から横アーム６を含む必要部分が無菌状態にするためのドレープＰにて覆われる。特に横アーム６や手術顕微鏡２を覆う部分のドレープＰが下側に垂れ下がると、ドクターやアシスタント等の視野を邪魔するため、ドレープＰを横アーム６や手術顕微鏡２に密着させる必要がある。
【００２１】
そのため中空構造の横アーム６を通気路として先端の吸気口１４からドレープＰ内の空気Ｅを吸引する。吸引は排気ポンプ手段１５により行われる。
【００２２】
スタンド本体１から縦アーム３を経て横アーム６の基端部に至る部分には吸気管１７が配管されている。吸気管１７は基本的に内部を通過し、軸支部５、９だけそこを跨ぐために外部に露出している。縦アーム３には上部の軸支部９付近と下部の軸支部５付近に円孔１８、１９が形成されている。スタンド本体１には軸支部５付近に円孔２０が形成されている。そして縦アーム３と横アーム６の間では接続口１６と円孔１８の間で吸気管１７が露出し、縦アーム３とスタンド本体１の間では円孔１９と円孔２０の間で吸気管１７が露出している。
【００２３】
吸気管１７は樹脂パイプで断面方向では剛性を有し潰れることはないが、長手方向では伸縮性を有している。そのため横アーム６や縦アーム３の動きに追従することができる。
【００２４】
吸気管１７の端末は吸気接続部２１としてスタンド本体１の下部の外面に存在している。この吸気接続部２１にはフロア上に設置された排気ポンプ手段１５を必要な時に接続することができる。この排気ポンプ手段１５は輸送時など不要な場合は吸気接続部２１から外すこともできるため便利である。
【００２５】
この排気ポンプ手段１５のスイッチを押すと、吸気管１７を介して横アーム６内が減圧され、先端の吸気口１４からドレープＰ内の空気Ｅが吸引され、吸引された空気Ｅは吸気管１７及び排気ポンプ手段１５を通過して外部へ排出される。
【００２６】
横アーム６の先端の吸気口１４から空気Ｅが吸引されるため、手術顕微鏡２付近及び横アーム６の先端付近のドレープＰが確実に吸引されて密着状態となり、周辺にいる人の視野を邪魔しない。
【００２７】
排気ポンプ手段１５はスタンド本体１の外に設置されるため、排気ポンプ手段１５の修理や保守を行う際には排気ポンプ手段１５を取り外して作業を行うことができ、メンテナンス作業が容易である。
【００２８】
また排気ポンプ手段１５自体が従来のように横アーム６の内部に存在することはないため、カウンタウェイトＷによるスタンド本体１の全体的な重量均衡に影響を与えない。
【００２９】
尚、以上の実施形態では、１本の連続した吸気管１７を例にしたが、複数の吸気管を連結した構造でも良い。
【符号の説明】
【００３０】
１  スタンド本体
２  手術顕微鏡
３  縦アーム
５  軸支部
６  横アーム
９  軸支部
１５  排気ポンプ手段
１６  接続口
１７  吸気管
１８、１９、２０  円孔
２１  吸気接続部
Ａ  平行リンク機構
Ｗ  カウンタウェイト
Ｐ  ドレープ
Ｅ  空気
【図１】
2017000219.tif 000003
【図２】
2017000219.tif 000004